(57)【要約】【課題】  横長画面で撮影した画像を縦長画面での表示に適したサイズの画像データとして保存することのできるカメラ付き携帯電話機を提供する。【解決手段】  ＬＣＤ１５の液晶画面を縦長画面として使用する第１の状態と上記液晶画面を横長画面として使用する第２の状態とを検出する状態検出部１９と、上記縦長画面の表示サイズに対応する第１の画像サイズと該第１の画像サイズより大きな第２の画像サイズの少なくとも２つのサイズから撮影時の画像サイズが選択的に設定されるカメラモジュール１７と、上記第１の画像サイズが設定された状態でカメラモジュールを起動した場合に、状態検出部１９にて上記第２の状態が検出されると、カメラモジュール１７に上記第２の画像サイズで撮影を行わせ、該撮影した画像から上記第１の画像サイズの画像を切り出して保存する制御部１０とを有する。【選択図】  図１
2005311851.tif 000002
【特許請求の範囲】
【請求項１】
記憶部と、
少なくとも１つの液晶画面と、
前記液晶画面を縦長画面として使用する第１の状態と前記液晶画面を横長画面として使用する第２の状態のいずれの状態にあるかを検出する状態検出部と、
前記縦長画面の表示サイズに対応する第１の画像サイズと該第１の画像サイズより大きな第２の画像サイズの少なくとも２つのサイズから撮影時の画像サイズが選択的に設定されるカメラ部と、
前記第１の画像サイズが設定された状態で前記カメラ部を起動した場合に、前記状態検出部にて前記第２の状態が検出されると、前記カメラ部に前記第２の画像サイズで撮影を行わせ、該撮影した画像から前記第１の画像サイズの画像を切り出して前記横長画面上に表示させるとともに、該表示した画像を保存する旨の入力が行われると、前記切り出した画像を前記記憶部に格納する制御部とを有することを特徴とするカメラ付き携帯電話機。
【請求項２】
前記制御部が、前記記憶部に格納されている前記切り出した画像をそのまま前記縦長画面に表示させる、請求項１に記載のカメラ付き携帯電話機。
【請求項３】
前記液晶画面が２つあり、一方の液晶画面が前記縦長画面とされ、他方の液晶画面が前記横長画面とされる、請求項１に記載のカメラ付き携帯電話機。
【請求項４】
前記制御部が、前記第２の画像サイズで撮影した画像を前記横長画面一杯に表示させるとともに、該表示画面上に、前記切り出した画像に対応する領域を明示するための枠を表示させる、請求項１に記載のカメラ付き携帯電話機。
【請求項５】
カメラファインダーとして縦長画面および横長画面を選択的に使用可能で、撮影時の画像サイズとして、前記縦長画面の表示サイズに対応する第１の画像サイズと該第１の画像サイズより大きな第２の画像サイズを選択的に設定可能なカメラ部を備えた携帯電話機において行われる画像保存方法であって、
前記第１の画像サイズが設定された状態で前記カメラ部を起動せる第１のステップと、
前記縦長画面で撮影を行う第１の状態と前記横長画面で撮影を行う第２の状態のいずれの状態にあるかを検出する第２のステップと、
前記第２のステップにて前記第２の状態が検出されると、前記カメラ部に前記第２の画像サイズで撮影を行わせ、該撮影した画像から前記第１の画像サイズの画像を切り出して前記横長画面上に表示させる第３のステップと、
前記第３のステップで表示した画像を保存する旨の入力が行われると、前記切り出した画像を保存する第４のステップとを含む画像保存方法。
【請求項６】
カメラファインダーとして縦長画面および横長画面を選択的に使用可能で、撮影時の画像サイズとして、前記縦長画面の表示サイズに対応する第１の画像サイズと該第１の画像サイズより大きな第２の画像サイズを選択的に設定可能なカメラ部を備えた携帯電話機において用いられるプログラムであって、
前記第１の画像サイズが設定された状態で前記カメラ部を起動せる第１の処理と、
前記縦長画面で撮影を行う第１の状態と前記横長画面で撮影を行う第２の状態のいずれの状態にあるかを検出する第２の処理と、
前記第２の処理にて前記第２の状態が検出されると、前記カメラ部に前記第２の画像サイズで撮影を行わせ、該撮影した画像から前記第１の画像サイズの画像を切り出して前記横長画面上に表示させる第３の処理と、
前記第３の処理で表示した画像を保存する旨の入力が行われると、前記切り出した画像を保存する第４の処理とをコンピュータに実行させることを特徴とするプログラム。
【発明の詳細な説明】
【技術分野】
【０００１】
本発明は、カメラ付き携帯電話機、特にカメラファインダーとして縦長画面および横長画面を選択的に使用可能なカメラ付き携帯電話機およびその画面保存方法に関する。
【背景技術】
【０００２】
近年、カメラ機能を備えた種々の携帯電話機が提供されている。そのなかでも、折り畳み式のものはコンパクトであることから、カメラ付き携帯電話機の主流となってきている。
【０００３】
カメラファインダーとして縦長画面および横長画面の２つの画面を選択的に使用可能な折り畳み式のカメラ付き携帯電話機がある（例えば特許文献１参照）。この携帯電話機では、通常、二つ折りの筐体を開いた状態でカメラ撮影を行う際は、縦長画面での表示がなされ、閉じた状態でカメラ撮影を行う場合は、横長画面での表示がなされる。ユーザは、縦長画面および横長画面のいずれの表示でも任意に撮影を行うことが可能であり、撮影した画像データを携帯電話機内に保存することができる。保存した画像データは、任意に表示、加工することができ、また、待ち受け画面（壁紙）として設定することができる。
【０００４】
また、最近のカメラ付き携帯電話機では、カメラの画素数が増大し、「１２０×１６０」のメール用サイズ、「２４０×３２０」の待ち受け画面用サイズ、「４８０×６２０」のＰＣ（パーソナルコンピュータ）用サイズといった複数の画像サイズを設定可能とされており、ユーザは、撮影時にそれらサイズのうちから所望のサイズを選択して撮影を行うことができる。
【特許文献１】特開２００４−１１２５５９号公報
【発明の開示】
【発明が解決しようとする課題】
【０００５】
保存した画像データを表示させる場合、縦長画面を使用することが多い。そのような場合、横長画面で撮影した画像データをそのまま縦長画面に表示すると、画像の一部が表示されないことがある。例えば、「２４０（横）×３２０（縦）」のＱＶＧＡサイズの液晶画面（縦長画面）に、横長画面で撮影した画像データとして「３２０（横）×２４０（縦）」の画像サイズの画像データをそのまま表示させた場合は、画像の両側の領域が表示されない。このため、通常は、画像の幅がちょうど液晶画面の幅と一致するように、縦横同率で縮小する処理や、液晶画面一杯に表示できるように画像を９０度回転させる処理が施される。図８（ａ）は、横長画面で撮影した画像データの例、図８（ｂ）は、その横長画面で撮影した画像データを縦長画面に縮小表示した例、図８（ｃ）は、その横長画面で撮影した画像データを９０度回転させて縦長画面に表示した例である。
【０００６】
しかしながら、縮小処理を行った場合は、図８（ｂ）に示すように、液晶画面の上下の斜線部が非表示領域７１、７２となり、せっかくの大きな液晶画面を有効に使用することができないばかりか、非常に見栄えの悪いものとなってしまう。他方、回転処理を行った場合には、図８（ｃ）に示すように、画像が横９０度回転した状態で表示されるため、そのままでは非常に見難い。
【０００７】
本発明の目的は、上記問題を解決し、横長画面で撮影した画像を縦長画面での表示に適したサイズの画像データとして保存することのできる、カメラ付き携帯電話機および画像保存方法を提供することにある。
【０００８】
本発明のさらなる目的は、そのような画像保存を行うことのできるプログラムを提供することにある。
【課題を解決するための手段】
【０００９】
上記目的を達成するため、本発明のカメラ付き携帯電話機は、記憶部と、少なくとも１つの液晶画面と、前記液晶画面を縦長画面として使用する第１の状態と前記液晶画面を横長画面として使用する第２の状態のいずれの状態にあるかを検出する状態検出部と、前記縦長画面の表示サイズに対応する第１の画像サイズと該第１の画像サイズより大きな第２の画像サイズの少なくとも２つのサイズから撮影時の画像サイズが選択的に設定されるカメラ部と、前記第１の画像サイズが設定された状態で前記カメラ部を起動した場合に、前記状態検出部にて前記第２の状態が検出されると、前記カメラ部に前記第２の画像サイズで撮影を行わせ、該撮影した画像から前記第１の画像サイズの画像を切り出して前記横長画面上に表示させるとともに、該表示した画像を保存する旨の入力が行われると、前記切り出した画像を前記記憶部に格納する制御部とを有することを特徴とする。
【００１０】
上記の構成によれば、撮影時の画像サイズとして縦長画面の表示サイズに対応する第１の画像サイズ（例えば待ち受け画面用サイズ）を設定した場合、横長画面で撮影した画像は、縦長画面での表示に適した第１の画像サイズで保存される。こうして保存した画像データは、従来のような画像の縮小や回転を行うことなく、そのまま縦長画面一杯に表示することができる。また、表示された保存画像の天地方向は、撮影時に表示された画像の天地方向と一致するようになっているので、ユーザは違和感なくカメラ操作を行うことが可能である。
【００１１】
本発明の画像保存方法は、カメラファインダーとして縦長画面および横長画面を選択的に使用可能で、撮影時の画像サイズとして、前記縦長画面の表示サイズに対応する第１の画像サイズと該第１の画像サイズより大きな第２の画像サイズを選択的に設定可能なカメラ部を備えた携帯電話機において行われる画像保存方法であって、前記第１の画像サイズが設定された状態で前記カメラ部を起動せる第１のステップと、前記縦長画面で撮影を行う第１の状態と前記横長画面で撮影を行う第２の状態のいずれの状態にあるかを検出する第２のステップと、前記第２のステップにて前記第２の状態が検出されると、前記カメラ部に前記第２の画像サイズで撮影を行わせ、該撮影した画像から前記第１の画像サイズの画像を切り出して前記横長画面上に表示させる第３のステップと、前記第３のステップで表示した画像を保存する旨の入力が行われると、前記切り出した画像を保存する第４のステップとを含むことを特徴とする。この画像保存方法においても、上記本発明のカメラ付き携帯電話機と同様な作用を奏する。
【００１２】
本発明のプログラムは、カメラファインダーとして縦長画面および横長画面を選択的に使用可能で、撮影時の画像サイズとして、前記縦長画面の表示サイズに対応する第１の画像サイズと該第１の画像サイズより大きな第２の画像サイズを選択的に設定可能なカメラ部を備えた携帯電話機において用いられるプログラムであって、前記第１の画像サイズが設定された状態で前記カメラ部を起動せる第１の処理と、前記縦長画面で撮影を行う第１の状態と前記横長画面で撮影を行う第２の状態のいずれの状態にあるかを検出する第２の処理と、前記第２の処理にて前記第２の状態が検出されると、前記カメラ部に前記第２の画像サイズで撮影を行わせ、該撮影した画像から前記第１の画像サイズの画像を切り出して前記横長画面上に表示させる第３の処理と、前記第３の処理で表示した画像を保存する旨の入力が行われると、前記切り出した画像を保存する第４の処理とをコンピュータに実行させることを特徴とする。このプログラムにおいても、上記本発明のカメラ付き携帯電話機と同様な作用を奏する。
【発明の効果】
【００１３】
以上の通り、本発明によれば、カメラファインダーとして横長画面を使用する場合であっても、待ち受け画面用サイズなどの特定の画像サイズで撮影を行う場合は、縦長画面での表示に適した画像サイズで保存を行うことができる。よって、横長画面での撮影で保存した画像を、そのまま通常の使用でよく用いられる縦長画面一杯に表示させることができ、縮小表示が行われる従来のものより、大きな液晶画面を有効に使用することができる。
【００１４】
加えて、撮影時の画像の天地方向と保存した画像を表示させた際の画像の天地方向とが一致するようになっているので、回転の処理を施す従来のものより、違和感のない操作を提供できる点で優れている。
【発明を実施するための最良の形態】
【００１５】
次に、本発明の実施形態について図面を参照して説明する。
【００１６】
図１は、本発明の一実施形態であるカメラ付き携帯電話機の主要部を示すブロック図、図２および図３は、図１に示すカメラ付き携帯電話機における撮影形態を示す模式図である。
【００１７】
まず、図２および図３を参照して、本実施形態のカメラ付き携帯電話機の外観構成および撮影形態を説明する。本実施形態のカメラ付き携帯電話機は、折り畳み式のカメラ付き携帯電話機であって、ヒンジ２により連結された２つの筐体１ａ、１ｂを有する。筐体１ａ、１ｂは、ヒンジ２を軸にして折り畳むことができる。筐体１ａは、一方の面に液晶画面３を備える。筐体１ｂは、一方の面に操作部４ａを備え、所定の側面に操作部４ｂを備える。筐体１ａは、ヒンジ２に支持された部分を軸にして１８０度回転するように構成されている。
【００１８】
撮影形態としては、筐体１ａ、１ｂを開いた状態でカメラ撮影を行う第１の撮影形態（図２の状態）、液晶画面３が外側を向くように筐体１ａ、１ｂを畳んだ状態でカメラ撮影を行う第２の撮影形態（図３の状態）がある。第１の撮影形態では、液晶画面３は、縦長画面のカメラファインダーとして用いられ、筐体１ｂに設けられた操作部４ａにて撮影のための入力操作が行われる。第２の撮影形態では、液晶画面３は、横長画面のカメラファインダーとして用いられ、筐体１ｂ側面に設けられた操作部４ｂにて撮影のための入力操作が行われる。カメラレンズ５は、第１および第２の撮影形態のいずれにおいても被写体側を向くように筐体１ｂのヒンジ２付近に設けられている。
【００１９】
上記の他、通常の持ち運び時には、液晶画面３が内側を向くように筐体１ａ、１ｂを畳んだ通常収容形態をとる。
【００２０】
次に、図１を参照して、本実施形態のカメラ付き携帯電話機の主要構成を説明する。本実施形態のカメラ付き携帯電話機は、制御部１０、無線部１１、ＲＯＭ１２、ＲＡＭ１３、液晶表示デバイス（ＬＣＤ）駆動部１４、ＬＣＤ１５、スピーカ１６、カメラモジュール１７、外部メモリインターフェース１８、状態検出部１９および入力操作部２０からなる。この他、図示はしていないが、携帯電話機としての周知の機能を備える。
【００２１】
無線部１１は、無線電波の送受信を行う部分である。ＬＣＤ１５は、例えば「２４０×３２０」のＱＶＧＡサイズの液晶画面（図２および図３の液晶画面３）を持つ表示デバイスであって、ＬＣＤ駆動部１４によって駆動される。外部メモリインターフェース１８は、外部メモリとの間でデータの書き込みおよび読み出しを行うためのものである。外部メモリは、ＳＤ等に代表されるメモリカードや通信ケーブルを介して接続される記憶装置である。入力操作部２０は、図２および図３に示した操作部４ａ、４ｂであって、カメラ撮影のための操作キーの他、携帯電話機としての操作に必要なキーを備える。
【００２２】
カメラモジュール１７は、図２および図３に示したカメラレンズ５、撮像素子などから構成される良く知られたデジタルカメラの構成をモジュール化したものであって、「１２０×１６０」のメール用サイズ、「２４０×３２０」の待ち受け画面用サイズ、「４８０×６２０」のＰＣ（パーソナルコンピュータ）用サイズといった複数の画像サイズでの撮影が可能とされている。
【００２３】
状態検出部１９は、図２に示した第１の撮影形態、図３に示した第２の撮影形態、および通常収容形態のいずれの状態にあるかを検出するものである。第１および第２の撮影形態および通常収容形態は、筐体１ａ、１ｂの開閉（角度）および筐体１ａの回転を機械的に検出することで簡単に検出することができる。この開閉および回転の検出は周知であるので、ここではその詳細な説明は省略する。
【００２４】
ＲＯＭ１２には、携帯電話機を動作させるのに必要なプログラムやデータが予め格納されている。制御部１０は、ＲＯＭ１２に予め格納されているプログラムにしたがって必要な処理を実行する。例えば、制御部１０は、入力操作部２０からの入力を受け付けて、通信（データ通信や通話など）やカメラモジュール１７における設定・撮影などの制御を行う。カメラモジュール１７の設定・撮影では、詳しくは後述するが、画像サイズの設定や画像の切り出しおよび表示などの処理が行われる。また、制御部１０は、カメラ撮影に必要な設定情報および撮影した画像データをＲＡＭ１３に保存したり、その保存した画像データをＲＡＭ１３から読み出してＬＣＤ１５にて表示させたりする。さらに、制御部１０は、カメラ撮影時には、入力操作部２０の所定のボタン（シャッターボタン）が押されるタイミングで、ＲＯＭ１４に格納されたシャッター音に関するデータに基づいてスピーカ１６からシャッター音を出力させる。
【００２５】
次に、本実施形態のカメラツ付き携帯電話機の動作について詳細に説明する。通話やメールに関する動作は周知のとおりあるので、ここでは、その説明は省略することとし、特徴となるカメラ撮影および画像の保存の動作についてのみ説明する。また、以下の説明では、液晶画面３は、「２４０×３２０」のＱＶＧＡサイズのものとし、「１２０×１６０」のメール用サイズ、「２４０×３２０」の待ち受け画面用サイズ、「４８０×６２０」のＰＣ（パーソナルコンピュータ）用サイズの３つの画像サイズの設定が可能とされているものとする。
【００２６】
（画像サイズの設定）
ユーザは、カメラ撮影を行うにあたって、画像サイズの設定を行う。この画像サイズの設定は、カメラ設定モードで行う。具体的には、ユーザは、筐体を開いた状態（図２の状態）で、操作部４ａにて、カメラ設定モードを起動するための入力操作を行う。この入力操作を受けて、制御部１０が、カメラ撮影の設定に必要なデータ（設定画面に関するデータやすでに設定されている設定情報）をＲＯＭ１２およびＲＡＭ１３から読み出して液晶画面３に表示させる。ユーザは、液晶画面３に表示された設定画面上で、画像サイズの項目を選択し、メール用サイズ、待ち受け画面用サイズおよびＰＣ用サイズの中から所望のサイズを指定する。この際の項目選択およびサイズ指定も、操作部４ａでの入力操作により行う。サイズが指定されると、制御部１０は、その指定された画像サイズを撮影時の画像サイズとして設定するとともに、その設定情報をＲＡＭ１３に格納する。
【００２７】
（カメラ撮影／画像保存）
次に、カメラ撮影および撮影した画像の保存の仕方について説明する。図４に、カメラ撮影／画像保存の処理の流れを示す。以下、図１〜４を参照して動作を説明する。
【００２８】
ユーザが、入力操作部２０にて、カメラ撮影を行うための入力操作を行うと、制御部１０によってカメラ機能が起動される（ステップＳ１０）。起動後、制御部１０は、ＲＡＭ１３の設定情報を参照して現在設定されている画像サイズが待ち受け用サイズであるかどうかを判断する（ステップＳ１１）。この判断で「Ｎｏ」となった場合は、制御部１０は、設定されている画像サイズでの撮影を行い、その撮影画像の表示および保存を行う（ステップＳ１２）。
【００２９】
ステップＳ１１の判断が「Ｙｅｓ」となった場合は、制御部１０は、現在の筐体の状態が第１の撮影形態（液晶縦長）および第２の撮影形態（液晶横長）のいずれの状態にあるかを判断する（ステップＳ１３）。この判断で「第１の撮影形態（液晶縦長）」となった場合は、ステップＳ１２に移行して撮影および保存を行う。この場合の撮影では、図５（ａ）に示すように、液晶画面３は縦長画面のカメラファインダーとして用いられ、カメラレンズ５を通して撮影された、待ち受け用サイズ（２４０（横）×３２０（縦））の縦長の撮影画像１００が液晶画面３一杯に表示される。このとき、画面上には、ユーザ操作ガイダンスとしての撮影ボタン（シャッターボタン）１０１が一緒に表示されており、ユーザが、この撮影ボタン１０１を選択入力する（または、撮影ボタン１０１に対応する操作キーを押す）と、制御部１０が、その入力タイミングでの撮影画像（静止画像）を液晶画面３上で保持する。撮影画像（静止画像）が表示された画面上では、撮影ボタン１０１に代えて保存ボタンが表示され、ユーザが、この保存ボタンを選択入力する（または、保存ボタンに対応する操作キーを押す）と、制御部１０が、表示されている静止画像に対応する画像データ（２４０（横）×３２０（縦））をＲＡＭ１３内に保存する。保存した画像データには、当該画像データを特定するための特定情報（日付情報などを含む）が付与される。保存領域は、例えばデータフォルダとして予め用意されている。
【００３０】
ステップＳ１３の判断で「第２の撮影形態（液晶横長）」となった場合は、制御部１０は、画像の切り出し処理を行って（ステップＳ１４）、この切り出された画像（縦長画像）に基づく撮影および保存を行う（ステップＳ１５）。画像の切り出し処理では、図６に示すように、ＰＣ用サイズ（６２０（横）×４８０（縦））で撮影した画像２００から待ち受け用サイズ（２４０（横）×３２０（縦））の縦長の撮影画像２０１を切り出す。撮影では、図５（ｂ）に示すように、液晶画面３は横長画面のカメラファインダーとして用いられ、切り出された撮影画像２０１が液晶画面３に縮小表示される。このとき、画面上には、ユーザ操作ガイダンスとしての撮影ボタン（シャッターボタン）１０１が一緒に表示されており、ユーザが、この撮影ボタン１０１を選択入力する（または、撮影ボタン１０１に対応する操作キーを押す）と、制御部１０が、その入力タイミングでの撮影画像（静止画像）を液晶画面３上で保持する。撮影画像（静止画像）が表示された画面上では、撮影ボタン１０１に代えて保存ボタンが表示されるようになっており、ユーザが、この保存ボタンを選択入力する（または、保存ボタンに対応する操作キーを押す）と、制御部１０が、表示されている静止画像に対応する画像データ（２４０（横）×３２０（縦））をＲＡＭ１３内に保存する。保存した画像データには、当該画像データを特定するための特定情報（日付情報などを含む）が付与される。
【００３１】
以上の撮影／保存の処理によれば、画像サイズとして待ち受け画面サイズを設定して撮影および保存を行った場合は、第１および第２の撮影形態のいずれにおいても、撮影画像として、（２４０（横）×３２０（縦））の画像サイズを有する縦長画像がＲＡＭ１３内に保存されることになる。なお、縦長画像１０１の切り出しは、画像１００の中心を基準として行うことが望ましい。また、筐体１ａ、１ｂを畳んで通常収容形態とした場合は、上述した撮影／保存の処理は終了する。
【００３２】
（保存した画像データの表示）
通常、ユーザは、液晶画面３を縦長画面として用いている状態（図２の状態）で、ＲＡＭ１３内に保存した画像データを液晶画面３上に表示させたり、待ち受け画面として設定したりする。ここでは、一例として、ＲＡＭ１３内に保存した画像データを液晶画面３上に表示させる場合の動作を簡単に説明する。
【００３３】
ユーザが、データフォルダ内に保存された画像データの一覧表示を行うために、入力操作部２０にて所定の入力操作を行うこと、制御部１０が、その入力操作に応じて、ＲＡＭ１３に保存されている画像データの一覧情報（特定情報の一覧）を液晶表示画面３上に表示させる。ユーザが、表示された一覧から任意の画像の特定情報を指定すると、制御部１０が、その指定された特定情報に関する画像データをＲＡＭ１３から読み出して液晶画面３上に表示させる。
【００３４】
本実施形態では、待ち受け画面サイズで撮影された画像データについては、第１および第２の撮影形態のいずれにおいても、（２４０（横）×３２０（縦））の画像サイズ（液晶画面３を縦長画面として用いた場合の表示に適したサイズ）を有する縦長画像とされているので、縮小表示や回転といった処理を行うことなく、画像データをそのまま液晶画面３一杯に表示することができる。また、撮影形態に関係なく、保存された画像データを表示した際の画像の天地方向は、撮影時に表示された画像の天地方向と一致するようになっているので、ユーザは違和感なくカメラ操作を行うことができる。
【００３５】
（他の実施形態）
上述した実施形態のものでは、筐体１ａに設けられた１つの液晶画面３を縦長画面および横長画面としてカメラ撮影を行うようになっているが、筐体１ａに、さらに別の液晶画面を設けて、液晶画面３を縦長画面、別の液晶画面を横長画面としてカメラ撮影を行うようにしてもよい。以下では、本発明の他の実施形態として、２つの液晶画面を備え、一方の液晶画面を縦長画面、他方の液晶画面を横長画面としてカメラ撮影を行うカメラ付き形態電話機について説明する。
【００３６】
図７は、本発明の他の実施形態であるカメラ付き形態電話機の撮影形態を示す模式図である。図７を参照すると、本実施形態のカメラ付き形態電話機は、図２に示した構成に加えて、筐体１ａの液晶画面が設けられた面とは反対の面に液晶画面８１を備え、筐体１ｂの所定の側面にカメラ撮影を行うための操作部８２を備える。通常、液晶画面８１はサブ画面として用いられることから、そのサイズは、液晶画面３に比べて小さい。
【００３７】
筐体１ａ、１ｂを開いた状態では、液晶画面３がカメラファインダーとして用いられ（第１の撮影形態）、筐体１ａ、１ｂを畳んだ状態では、液晶画面８１がカメラファインダーとして用いられる（第２の撮影形態）。第１の撮影形態は、図２に示したように縦長画面での撮影となり、図５（ａ）に示したような撮影画像が表示される。第２の撮影形態は、図７に示したような横長画面での撮影となり、図５（ｂ）に示すような撮影画像が表示される。
【００３８】
本実施形態のカメラ付き形態電話機の主要部は、液晶画面３、８１に対応するＬＣＤ駆動部およびＬＣＤがそれぞれ設けられ、制御部が、撮影形態に応じた液晶画面への表示制御を行う以外は、基本的には、図１に示したものと同じである。また、画像サイズの設定、カメラ撮影／画像保存および保存した画像データの表示も同様に行われる。よって、本実施形態のカメラ付き形態電話機も、図１に示したものと同様な作用および効果を奏する。
【００３９】
以上説明した各実施形態の構成および動作は、本発明の一例であって、適宜、変更可能である。例えば横長画面での撮影では、図５（ｂ）に示すように、ＰＣ用サイズ（６２０（横）×４８０（縦））で撮影した画像２００から切り出した、待ち受け用サイズ（２４０（横）×３２０（縦））の縦長の撮影画像２０１のみを液晶画面に表示するようになっているが、撮影画像２０１を含む画像２００を液晶画面一杯に表示してもよい。この場合は、保存領域である撮影画像２０１を点線などを使用した枠で視覚的に明示するようにする。
【００４０】
また、図４に示したカメラ撮影／画像保存の処理は、待ち受け画面サイズを対象としているが、縦長での表示における効果を奏するのであれば、他の画像サイズを対象としてもよい。例えば、図７に示した他の実施形態のカメラ付き携帯電話機において、別の液晶８１に貼り付けることを目的とした画像サイズを対象としてもよい。
【００４１】
さらに、撮影時に設定する画像サイズは、メール用サイズ、待ち受け画面用サイズおよびＰＣ用サイズの３つのサイズに限るものではない。基本的には、縦長画面の表示サイズに対応する画像サイズとこれより大きな画像サイズの少なくとも２つの画像サイズの設定が可能であればよい。
【図面の簡単な説明】
【００４２】
【図１】本発明の一実施形態であるカメラ付き携帯電話機の主要部を示すブロック図である。
【図２】図１に示すカメラ付き携帯電話機における撮影形態の一例を示す模式図である。
【図３】図１に示すカメラ付き携帯電話機における他の撮影形態の例を示す模式図である。
【図４】図１に示すカメラ付き携帯電話機のカメラ撮影／画像保存の処理の流れを示すフローチャートである。
【図５】（ａ）は、液晶画面を縦長画面のカメラファインダーとして用いた場合の撮影形態を示す模式図、（ｂ）は、液晶画面を横長画面のカメラファインダーとして用いた場合の撮影形態を示す模式図である。
【図６】画像切り出しの一例を示す模式図である。
【図７】本発明の他の実施形態であるカメラ付き形態電話機の撮影形態を示す模式図である。
【図８】（ａ）〜（ｃ）は、従来のカメラ付き携帯電話機において行われる撮影画像の保存を説明するための模式図である。
【符号の説明】
【００４３】
１ａ、１ｂ  筐体
２  ヒンジ
３、８１  液晶画面
４ａ、４ｂ、８２  操作部
５  カメラレンズ
１０  制御部
１１  無線部
１２  ＲＯＭ
１３  ＲＡＭ
１４  ＬＣＤ駆動部
１５  ＬＣＤ
１６  スピーカ
１７  カメラモジュール
１８  外部メモリインターフェース
１９  状態検出部
２０  入力操作部
７１、７２  非表示領域
１００、２０１  撮影画像
１０１  撮影ボタン
２００  画像
【図１】
2005311851.tif 000003
【図２】
2005311851.tif 000004
【図３】
2005311851.tif 000005
【図４】
2005311851.tif 000006
【図５】
2005311851.tif 000007
【図６】
2005311851.tif 000008
【図７】
2005311851.tif 000009
【図８】
2005311851.tif 000010